(57)【要約】【課題】  両面テープ、接着剤、金属製止具を用いることなく全頭かつらをずれることなく被ることができ、かつ、簡単確実に取り付けられるようにする。【解決手段】  全頭かつら２のずれを防止するために全頭かつら２を被る前に頭に装着する全頭かつら用サポートキャップ１を用いる。サポートキャップ１を伸縮性を有しかつ頭から首まで全て通すことが可能な筒状ネットからなるキャップ本体１１と、キャップ本体１１の一端側周縁に伸縮性と密着性及び滑り止め作用を有するゴム素材又はウレタン素材からなる帯状の滑り止め部１２とからなる構成とした。【選択図】図１
2011162936.tif 000002
【特許請求の範囲】
【請求項１】
全頭かつらのずれを防止するために全頭かつらを被る前に頭に装着する全頭かつら用サポートキャップであって、伸縮性を有しかつ頭から首まで全て通すことが可能な筒状ネットからなるキャップ本体と、キャップ本体の基端側周縁の全周に伸縮性と密着性及び滑り止め作用を有するゴム素材又はウレタン素材をコーティングしてなる帯状の滑り止めシート部とを備え、該滑り止めシート部の輪郭形状を頭髪の生え際ラインの形状とほぼ同形状に形成したことを特徴とする全頭かつら用サポートキャップ。
【請求項２】
全頭かつらのずれを防止するために全頭かつらを被る前に頭に装着する全頭かつら用サポートキャップであって、伸縮性を有しかつ頭に被ることが可能な袋状ネットからなるキャップ本体と、キャップ本体の基端側周縁の全周に伸縮性と密着性及び滑り止め作用を有するゴム素材又はウレタン素材を帯状にコーティングしてなる滑り止めシート部を備え、この滑り止めシート部の輪郭形状を頭髪の生え際ラインの形状とほぼ同形に形成したことを特徴とする全頭かつら用サポートキャップ。
【発明の詳細な説明】
【技術分野】
【０００１】  本発明は、全頭かつらを被って使用する際に用いる全頭かつら用サポートキャップに関する。
【背景技術】
【０００２】  一般に全頭かつらは、頭に直接被るだけでは外れやすく止まりにくい。特に自毛が残っている使用者は、残っている髪にて滑りやすく、その上、自毛が多く残っている使用者が全頭かつらを被ると自毛がかつらを持ち上げて浮いてしまい頭にフィットせず、浮いたり違和感を与えたりする。そこで、従来では、全頭かつらを両面テープや接着剤にて固定したり、櫛状の金属製止具を用いて固定したりしている。
【発明の開示】
【発明が解決しようとする課題】
【０００３】  ところが、上記したように全頭かつらを両面テープや接着剤にて固定する場合、かつらの裏面にテープや接着剤を付け固定させる技術はむづかしく、自分自身で行うと歪んで着いたり、接着剤がはみ出たりするトラブルが生じ、時間や手間をかけてのやり直しを頻繁に要していた。また、金属製止具を用いて固定する場合、簡単に自毛と一緒に全頭かつらを挟み止めることができるが、時間の経過に伴って少しずつずれてくる問題があり、その上、ぴったり合わせて強く止めようとすると金属製止具により自毛が引っ張られるので痛く、また頭皮が赤く腫れるといったこともあった。【０００４】  そこで、本発明は、自毛を頭の上部にまとめて載置保持できながら全頭かつらがずれることなく被ることができ、しかも、両面テープ、接着剤、金属製止具を必要とせず、簡単かつ安定よく取り付けることができる全頭かつらのサポートキャップの提供を課題とする。
【課題を解決するための手段】
【０００５】  上記した問題を解決するために、本願の請求項１記載の発明は、全頭かつらのずれを防止するために全頭かつらを被る前に頭に装着する全頭かつらのサポートキャップであって、伸縮性を有しかつ頭から首まで全て通すことが可能な筒状ネットからなるキャップ本体と、キャップ本体の基端側周縁の全周に伸縮性と密着性及び滑り止め作用を有するゴム素材又はウレタン素材をコーティングしてなる帯状の滑り止めシート部とを備え、該滑り止めシート部の輪郭形状を頭髪の生え際ラインの形状とほぼ同形状に形成したことを特徴とする。【０００６】  また、本願の請求項２記載の発明は、全頭かつらのずれを防止するために全頭かつらを被る前に頭に装着する全頭かつらのサポートキャップであって、伸縮性を有しかつ頭に被ることが可能な袋状ネットからなるキャップ本体と、キャップ本体の基端側周縁の全周に伸縮性と密着性及び滑り止め作用を有するゴム素材又はウレタン素材を帯状にコーティングしてなる滑り止めシート部を備え、この滑り止めシート部の輪郭形状を頭髪の生え際ラインの形状とほぼ同形に形成したことを特徴とする。
【発明の効果】
【０００７】  本願の請求項１記載の発明によれば、全頭かつらを頭に被る前にサポートキャップを頭に装着するのであり、この際、筒状のサポートキャップ全体を引っ張ってその通孔部分を拡げ、サポートキャップ全体を頭から首まで全て通し、その後、頭髪をキャップ本体内に入れ込みながらサポートキャップの先端側を頭上に引き上げ、続いて滑り止めシート部を頭髪の生え際ラインに一致するように引き上げて装着する。このとき、キャップ本体と滑り止めシート部は共に伸縮性を有しているので、両者の収縮によりサポートキャップは頭部にしっかりと止着され、しかも、滑り止めシート部は帯状で密着性及び滑り止め作用を有しているので、頭髪の生え際ラインにぴったりとフィットした状態でずれたりすることなく確実強固に位置保持される。そして、このように頭に装着されたサポートキャップの上から全頭かつらを、滑り止めシート部に全頭かつらにおけるベース部材の周縁ラインを一致させて被るのであり、これにより、全頭かつらは帯状の滑り止めシート部による密着性及び滑り止め作用によって地肌に直接被る場合に較べて確実かつ強固に止着され、ずれたりすることなく安定よく確実に保持される。したがって、従来のように両面テープや接着剤或いは金属製止具を特別に必要とせず、全頭かつらを簡単容易にかつずれたりすることなく確実に取り付けることができる。その上、筒状のキャップ本体により自毛をキャップ本体内にコンパクトにまとめて頭の上部に整然と揃えて載置できることから、自毛が全頭かつらを持ち上げて浮かせてしまう不具合も抑えることができる。【０００８】  また、本願の請求項２記載の発明によれば、全頭かつらを頭に被る前にサポートキャップを頭に装着するのであり、この際、頭髪を袋状キャップ本体内に揃えて入れ込みながら滑り止めシート部を頭髪の生え際ラインに一致するように装着する。このときキャップ本体と滑り止めシート部は共に伸縮性を有しているので、両者の収縮作用によりサポートキャップは頭部にしっかりと止着され、しかも、滑り止めシート部は帯状で密着性及び滑り止め作用を有しているので、頭髪の生え際ラインにぴったりとフィットした状態でずれたりすることなく確実強固に位置保持される。そして、このように頭に装着されたサポートキャップの上から全頭かつらを、滑り止めシート部に全頭かつらのベース部材の周縁ラインを一致させて被るのであり、これにより、全頭かつらは帯状の滑り止めシート部による密着性及び滑り止め作用によって地肌に直接被る場合に較べて確実かつ強固に止着され、ずれたりすることなく安定よく確実に保持される。したがって、従来のように両面テープや接着剤或いは金属製止具を特別に必要とせず、全頭かつらを簡単容易にかつずれたりすることなく確実に取り付けることができる。
【発明を実施するための最良の形態】
【０００９】  以下、本発明の実施の形態を図に基づいて説明する。【００１０】  図１及び図２は本発明の実施に係る全頭かつら用サポートキャップを示し、このサポートキャップ１は、全頭かつら２のずれを防止するために全頭かつら２を被る前に頭に装着するもので、該サポートキャップ１は、伸縮性を有しかつ頭から首まで全て通すことが可能なナイロン製でストッキングのような筒状ネットからなるキャップ本体１１と、キャップ本体１１の基端側周縁の全周に伸縮性と密着性及び滑り止め作用を有するゴム素材又はウレタン素材をコーティングしてなる帯状の滑り止めシート部１２とを備えている。そして、滑り止めシート部１２の輪郭形状は頭髪の生え際ラインの全周形状とほぼ同形状に形成されている。つまり、図１及び図２に示すように滑り止めシート部１２は前頭部中央部の生え際先端部ａと、前頭部の生え際両端部ｂと、左右側頭のもみあげ部ｃと、左右耳部周りの生え際部ｄと、衿首の生え際部先端部ｅとが連続する帯状のシートから構成されている。また、サポートキャップ１は、非装着時ストッキングのように全体が収縮しており、使用時には引っ張ることによりサポートキャップ１全体を頭から首まで全て通すことができ、また頭部分に装着したときるように伸縮性を備えている。また、サポートキャップ１は非装着時図２に示すように二つ重ねに合わせた状態で保管される。なお、キャップ本体１１としては、ナイロン製でストッキングのような軽量の筒状ネットが好ましいが、伸縮性を有しかつ頭から首まで全て通すことが可能で止着効果を奏する筒状ネットであれば他の素材のものであってもよい。また、キャップ本体１１の長さは頭髪の長さに合わせた長さがこのましく、各種の長さのものを設定するのがこのましい。【００１１】  図１において符号２は全頭かつらで、ネットなどからなる頭形状のベース地２１に髪２２を植込み逢着して形成している。ここで、全頭かつら２としては、一般的な形状のものでも使用できるが、ベース地２１の輪郭形状が頭髪の生え際ラインの全周形状とほぼ同形状のものがこのましいし、また、ベース地２１の周縁部の全周又は部分的に、上記滑り止めシート部１２や地肌に対して滑らずくっつく透明又は肌色の人工皮膚などのくっつき素材を特別に設けたものがこのましい。なお、全頭かつら２の髪２２としては人毛は勿論人工毛であってもよい。【００１２】  次に、以上のように構成した全頭かつら用サポートキャップ１の作用について説明する。【００１３】  使用に際しては、全頭かつら２を頭に被る前にサポートキャップ１を装着する。その場合、まず、上記した筒状のサポートキャップ１全体を引っ張ってその通孔部分を拡げ、サポートキャップ１全体を頭から首まで全て通す。次に、頭髪を首まで通したサポートキャップ１よりも上方に掻き揚げ、そのうえでサポートキャップ１の先端側を頭上方に引き上げる。その際、キャップ本体１１内に頭髪を揃えて入れ込みながら頭上方に引き上げる。その後、滑り止めシート部１２を頭髪の生え際ラインに一致するように引き上げて位置決めする。ここで、キャップ本体１１と滑り止めシート部１２は共に伸縮性を有しているので、両者の収縮作用によりサポートキャップ１は頭部にしっかりと��着され、しかも、滑り止めシート部１２は帯状で密着性及び滑り止め作用を有しているので、頭髪の生え際ラインにぴったりとフィットした状態でずれたりすることなく確実に位置保持される。また、キャップ本体１１はその収縮により自毛をキャップ本体１１内にコンパクトにまとめて保持できることから、図１に示すように、たとえ長髪であっても頭の上部に整然と揃えて嵩張ることなく載置保持することができる。【００１４】  そして、図１に示すようにサポートキャップ１を頭に装着した後に、サポートキャップ１の上から全頭かつら２を被ればよい。この際、サポートキャップ１の滑り止めシート部１２に全頭かつら２のベース部材２１の周縁ラインを一致させて被るのであり、これにより、全頭かつら２は帯状の滑り止めシート部１２による密着作用と滑り止め作用によって地肌に直接被る場合に較べて確実強固に止着され、ずれたりすることなく安定よく確実に保持される。その結果、従来のように両面テープや接着剤或いは金属製止具を特別に必要とせず、全頭かつら２を簡単容易にかつずれたりすることなく確実に取り付けることができる。また、筒状のキャップ本体１１により自毛をキャップ本体１１内にコンパクトにまとめて頭の上部に整然と揃えて載置できることから、自毛が全頭かつら２を持ち上げて浮かせてしまう不具合も抑えることができる。【００１５】  また、図３及び図４はサポートキャップの別の実施の形態を示すもので、頭髪の短い人や少ない人には上述したサポートキャップ１におけるキャップ本体１１が筒形状である必要がないので、キャップ本体１１Ａとして、伸縮性を有しかつ頭に被ることが可能なナイロン製の袋状ネットを用いたものである。そして、この袋状のキャップ本体１１Ａの基端側周縁の全周には、上述したサポートキャップ１のものと同様に伸縮性と密着性及び滑り止め作用を有するゴム素材又はウレタン素材を帯状にコーティングしてなる滑り止めシート部１２Ａを備え、この滑り止めシート部１２Ａの輪郭形状を頭髪の生え際ラインの形状とほぼ同形に形成したものである。【００１６】  滑り止めシート部１２Ａは図３及び図４に示すように前頭部中央部の生え際先端部ａと、前頭部の生え際両端部ｂと、左右側頭のもみあげ部ｃと、左右耳部周りの生え際部ｄと、衿首の生え際部先端部ｅとから連続する帯状のシートから構成されている。また、サポートキャップ１Ａは、非装着時ストッキングのように全体が収縮しており、使用時には引っ張ることによりサポートキャップ１Ａ全体を頭に被ることができるだけの伸縮性を備えている。また、非装着時には、図４に示すようにサポートキャップ１Ａは二つ重ねに合わせた状態で保管される。【００１７】  以上のように構成した全頭かつら用サポートキャップ１Ａの使用に際しては、全頭かつら２を頭に被る前にサポートキャップ１Ａを被って装着する。次に、頭髪をキャップ本体１１Ａ内に揃えて入れ込みながら滑り止めシート部１２Ａを頭髪の生え際ラインに一致するようにセットする。ここで、キャップ本体１１Ａと滑り止めシート部１２Ａは共に伸縮性を有しているので、両者の収縮作用によりサポートキャップ１Ａは頭部にしっかりと止着され、しかも、滑り止めシート部１２Ａは帯状で密着性及び滑り止め作用を有しているので、頭髪の生え際ラインにぴったりとフィットした状態でずれたりすることなく確実に位置保持される。【００１８】  そして、以上のようにサポートキャップ１Ａを頭に装着した後に、サポートキャップ１Ａの上から全頭かつら２を被ればよい。この際、サポートキャップ１Ａの滑り止めシート部１２Ａに全頭かつら２のベース部材２１の周縁ラインを一致させて被るのであり、これにより、全頭かつら２は、全頭かつら２は帯状の滑り止めシート部１２Ａによる密着性及び滑り止め作用によって地肌に直接被る場合に較べて確実かつ強固に止着され、ずれたりすることなく安定よく確実に保持される。したがって、従来のように両面テープや接着剤或いは止具を特別に必要とせず、全頭かつら２を簡単容易にかつずれたりすることなく確実に取り付けることができる。
【図面の簡単な説明】
【００１９】
【図１】  本発明に係る全頭かつら用サポートキャップの使用状態を示す側面図である。
【図２】  同サポートキャップ側面図である。
【図３】  別の全頭かつら用サポートキャップの使用状態を示す側面図である。
【図４】  同サポートキャップ側面図である。
【符号の説明】
【００２０】１，１          サポートキャップ
２              全頭かつら
１１，１１Ａ    キャップ本体
１２，１２Ａ    滑り止めシート部
【図１】
2011162936.tif 000003
【図２】
2011162936.tif 000004
【図３】
2011162936.tif 000005
【図４】
2011162936.tif 000006